(57)【要約】【課題】簡単な工程でエリアカラー表示を行える情報表示用パネルを提供する。【解決手段】表示媒体を、少なくとも一方が透明な２枚の基板間の空間に封入し、基板に設けた電極から電圧を印加して表示媒体を駆動させることによって画像等の情報表示を書換えできる情報表示用パネルにおいて、前記表示媒体が発現する色と異なる色のカラーフィルタを、表示面側の基板の少なくとも一部に設ける。【選択図】図１
2009103886.tif 000002
【特許請求の範囲】
【請求項１】
表示媒体を、少なくとも一方が透明な２枚の基板間の空間に封入し、基板に設けた電極から電圧を印加して表示媒体を駆動させることによって画像等の情報表示を書換えできる情報表示用パネルにおいて、
前記表示媒体が発現する色と異なる色のカラーフィルタを、表示面側の基板の少なくとも一部に設けることを特徴とする情報表示用パネル。
【請求項２】
前記表示媒体を、第１の色を有する第１の表示媒体と、第２の色を有する第２の表示媒体とから構成し、
前記第１の表示媒体および前記第２の表示媒体と異なる色を有する１種類以上のカラーフィルタを用いることを特徴とする請求項１に記載の情報表示用パネル。
【請求項３】
前記第１の表示媒体と前記第２の表示媒体の少なくともいずれか一方が、有彩色であることを特徴とする請求項２に記載の情報表示用パネル。
【請求項４】
前記表示媒体を第１の色を有する第１の表示媒体で構成し、
第２の色を有するカラープレートを背面側基板に設け、
前記第１の表示媒体および前記カラープレートと異なる色を有するカラーフィルタを用いることを特徴とする請求項１に記載の情報表示用パネル。
【請求項５】
前記カラーフィルタが２ドット以上の連続した表示画素にわたって形成されていることを特徴とする請求項１〜４のいずれかに記載の情報表示用パネル。
【請求項６】
前記表示媒体が、帯電性粒子を含んだ粒子群からなることを特徴とする請求項１〜５のいずれかに記載の情報表示用パネル。
【発明の詳細な説明】
【技術分野】
【０００１】
本発明は、表示媒体を少なくとも一方が透明な２枚の基板間の空間に封入し、基板に設けた電極から電圧を印加して表示媒体を駆動させることによって画像等の情報表示を書換えできる情報表示用パネルに関するものである。
本発明は、特にパネルの一部の表示色を変えるエリアカラー表示の情報表示用パネルに関するものである。
【背景技術】
【０００２】
液晶表示装置（ＬＣＤ）に代わる情報表示装置として、帯電粒子を液体中で駆動させる方式（電気泳動方式）の情報表示装置や、帯電粒子を気体中で駆動させる方式（例えば、電子粉流体方式）の情報表示装置が知られている。
【０００３】
帯電粒子駆動方式の情報表示装置に用いる情報表示用パネルとしては、少なくとも一方が透明な対向する２枚の基板間の空間に、少なくとも１種類以上の粒子から構成される光学的反射率および帯電性を有する表示媒体を封入し、表示媒体に電界を付与することによって、表示媒体を移動させて画像等の情報を表示する方式の情報表示用パネルを用いたものが知られている（例えば特許文献１）。
【０００４】
上述した構成の情報表示用パネルでカラー表示を行う従来技術としては、表示面側透明基板側に３原色（Ｒ、Ｇ、Ｂ）の透明カラーフィルタを配置し、基板間空間に封入した白黒２色の表示媒体を移動させてカラー表示を行う技術、あるいは、３色のカラー粒子および白黒の粒子による表示媒体を基板間空間に封入することによって、カラー表示を行う技術が提案されている（例えば、特許文献２）。
【０００５】
【特許文献１】国際公開第２００３／０５０６０６号パンフレット
【特許文献２】国際公開第２００４／００６００６号パンフレット
【発明の開示】
【発明が解決しようとする課題】
【０００６】
上述した情報表示用パネルにおいて、カラーフィルタを使用する場合は白の表現が制限されるという問題があった。すなわち、白黒２色の表示媒体およびカラーフィルタを用いた場合、カラーフィルタを用いたエリアはカラーフィルタの色および黒色の表示を行い、カラーフィルタを用いていないエリアは白色および黒色の表示を行う。それゆえ、カラーフィルタの色および白色という組み合わせのエリアカラー表示を行うことはできなかった。
また、カラー粒子を使用する場合はエリアごとにそれぞれのカラー粒子を充填しなければならず、用いるカラー粒子の種類も増加し、工程が複雑になるという問題があった。
【０００７】
そこで、本発明の目的は上述した問題点を解消して、簡単な工程でエリアカラー表示を行える情報表示用パネルを提供することにある。
【課題を解決するための手段】
【０００８】
本発明の情報表示用パネルは、表示媒体を、少なくとも一方が透明な２枚の基板間の空間に封入し、基板に設けた電極から電圧を印加して表示媒体を駆動させることによって画像等の情報表示を書換えできる情報表示用パネルにおいて、前記表示媒体が発現する色と異なる色のカラーフィルタを、表示面側の基板の少なくとも一部に設けることを特徴とするものである。
【０００９】
本発明の情報表示用パネルは、前記表示媒体を、第１の色を有する第１の表示媒体と、第２の色を有する第２の表示媒体とから構成し、前記第１の表示媒体および前記第２の表示媒体と異なる色を有する１種類以上のカラーフィルタを用いることが好適である。
【００１０】
本発明の情報表示用パネルは、前記第１の表示媒体と前記第２の表示媒体の少なくともいずれか一方が、有彩色であることが好適である。
【００１１】
本発明の情報表示用パネルは、前記表示媒体を第１の色を有する第１の表示媒体で構成し、第２の色を有するカラープレートを背面側基板に設け、前記第１の表示媒体および前記カラープレートと異なる色を有するカラーフィルタを用いることが好適である。
【００１２】
本発明の情報表示用パネルは、前記カラーフィルタが２ドット以上の連続した表示画素にわたって形成されていることが好適である。
【００１３】
本発明の情報表示用パネルは、前記表示媒体が、帯電性粒子を含んだ粒子群からなることが好適である。
【発明の効果】
【００１４】
本発明によれば、表示媒体を、少なくとも一方が透明な２枚の基板間の空間に封入し、基板に設けた電極から電圧を印加して表示媒体を駆動させることによって画像等の情報表示を書換えできる情報表示用パネルにおいて、前記表示媒体が発現する色と異なる色のカラーフィルタを、表示面側の基板の少なくとも一部に設けることによって、簡単な工程でエリアカラー表示を行える情報表示用パネルを提供することが可能となる。
【発明を実施するための最良の形態】
【００１５】
まず、本発明の情報表示用パネルのうち、帯電性粒子を含んだ粒子群を表示媒体として用いた構成について説明する。帯電性粒子を含んだ粒子群を表示媒体として用いた情報表示用パネルでは、対向する２枚の基板間の空間に封入した光学的反射率と帯電性とを有する粒子を含んだ粒子群として構成した表示媒体に電界が付与される。付与された電界方向にそって、表示媒体が電界による力やクーロン力などによって引き寄せられ、表示媒体が電界方向の変化によって移動（駆動）することにより、画像等の情報表示がなされる。従って、表示媒体が、均一に移動し、かつ、繰り返し表示を書き換える時あるいは表示情報を継続して表示する時の安定性を維持できるように、表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１６】
本発明の情報表示用パネルの例を、図１〜図４に基づき説明する。
図１（ａ）、（ｂ）に示す例では、光学的反射率と帯電性とを有する粒子を含む少なくとも１種類の粒子から構成される、互いに光学的反射率および帯電特性が異なる表示媒体（粒子群）を少なくとも２種類以上（ここでは白色帯電性粒子３Ｗａの粒子群からなる白色表示媒体３Ｗと青色帯電性粒子３ＢＬａの粒子群からなる青色表示媒体３ＢＬを示す）を基板間に封入し、隔壁４で形成された各セルにおいて、基板１に設けた電極５（個別電極）と基板２に設けた電極６（個別電極）との間に電圧を印加することにより発生する電界に応じて、基板１、２と垂直に移動させる。また、表示面側の基板２の一部には赤色カラーフィルタ２２Ｒを設けている。
図１（ａ）では、左のセルから順に、赤色カラーフィルタ２２Ｒと青色表示媒体３ＢＬとによる黒色表示、赤色カラーフィルタ２２Ｒと白色表示媒体３Ｗとによる赤色表示、青色表示媒体３ＢＬによる青色表示、白色表示媒体３Ｗによる白色表示を行っている。図１（ｂ）では、電界の向きを逆にすることにより、左のセルから順に、赤色、黒色、白色、青色表示を行っている。なお、図１（ａ）、（ｂ）において、手前にある隔壁は省略している。電極は基板の外側に設けても、基板の内部に埋め込むように設けてもよい。ここでは隔壁によって形成されるセルと対向する個別電極対とを対応させて表示単位（１ドット）を構成している。この隔壁は必ずしも設けることを要しないが、カラーフィルタを設けた領域とカラーフィルタを設けなかった領域との間には隔壁を設けることが好ましい。
以上により、２色の表示媒体と１色のカラーフィルタを用いることで、４色のカラー表示が可能となり、簡単な工程でエリアカラー表示を達成できる。
【００１７】
図２（ａ）、（ｂ）に示す例では、光学的反射率と帯電性とを有する粒子を含む少なくとも１種類の粒子から構成される、互いに光学的反射率および帯電特性が異なる表示媒体（粒子群）を少なくとも２種類以上（ここでは白色帯電性粒子３Ｗａの粒子群からなる白色表示媒体３Ｗと青色帯電性粒子３ＢＬａの粒子群からなる青色表示媒体３ＢＬを示す）を基板間に封入し、隔壁４で形成された各セルにおいて、基板１に設けた電極５（ライン電極）と基板２に設けた電極６（ライン電極）とが対向直交交差して形成する電極対の間に電圧を印加することにより発生する電界に応じて、基板１、２と垂直に移動させる。また、表示面側の基板２の一部には赤色カラーフィルタ２２Ｒを設けている。
図２（ａ）では、左のセルから順に、赤色カラーフィルタ２２Ｒと青色表示媒体３ＢＬとによる黒色表示、赤色カラーフィルタ２２Ｒと白色表示媒体３Ｗとによる赤色表示、青色表示媒体３ＢＬによる青色表示、白色表示媒体３Ｗによる白色表示を行っている。図２（ｂ）では、電界の向きを逆にすることにより、左のセルから順に、赤色、黒色、白色、青色表示を行っている。なお、図２（ａ）、（ｂ）において、手前にある隔壁は省略している。電極は基板の外側に設けても、基板の内部に埋め込むように設けてもよい。ここでは隔壁によって形成されるセルと対向する個別電極対とを対応させて表示単位（１ドット）を構成している。この隔壁は必ずしも設けることを要しないが、カラーフィルタを設けた領域とカラーフィルタを設けなかった領域との間には隔壁を設けることが好ましい。
以上により、２色の表示媒体と１色のカラーフィルタを用いることで、４色のカラー表示が可能となり、簡単な工程でエリアカラー表示を達成できる。
【００１８】
図３（ａ）、（ｂ）に示す例では、光学的反射率と帯電性とを有する粒子を含む少なくとも１種類の粒子から構成される表示媒体（ここでは白色帯電性粒子３Ｗａの粒子群からなる白色表示媒体３Ｗを示す）を基板間に封入し、隔壁４で形成された各セルにおいて、基板１に設けた電極５と電極６との間に電圧を印加することにより発生する電界に応じて、基板１、２と平行方向に移動させる。また、表示面側の基板２の一部には赤色カラーフィルタ２２Ｒを設け、背面側の基板１には青色板７ＢＬを設けている。
図３（ａ）では、左のセルから順に、赤色カラーフィルタ２２Ｒと青色板７ＢＬとによる黒色表示、赤色カラーフィルタ２２Ｒと白色表示媒体３Ｗとによる赤色表示、青色板７ＢＬによる青色表示、白色表示媒体３Ｗによる白色表示を行っている。図３（ｂ）では、電界の向き逆にすることにより、左のセルから順に、赤色、黒色、白色、青色表示を行っている。なお、図３（ａ）、（ｂ）に示す例では、手前にある隔壁は省略している。電極は基板の外側に設けても、基板の内部に埋め込むように設けてもよい。ここでは隔壁によって形成されるセルが表示単位（１ドット）となる。この隔壁は必ずしも設けることを要しないが、カラーフィルタを設けた領域とカラーフィルタを設けなかった領域との間には隔壁を設けることが好ましい。
【００１９】
図４（ａ）、（ｂ）に示す例では、隔壁４で形成されたセルの代わりに、白色帯電性粒子３Ｗａと青色帯電性粒子３ＢＬａとを、絶縁液体８とともに内部に充填したマイクロカプセル９を用いている。基板１に設けた電極５と電極６との間に電圧を印加することにより発生する電界に応じて、白色帯電性粒子３Ｗａと青色帯電性粒子３ＢＬａとを移動させる。また、表示面側の基板２の一部には赤色カラーフィルタ２２Ｒを設けている。
図４（ａ）では、左のセルから順に、赤色カラーフィルタ２２Ｒと青色帯電性粒子３ＢＬａとによる黒色表示、赤色カラーフィルタ２２Ｒと白色帯電性粒子３Ｗａとによる赤色表示、青色帯電性粒子３ＢＬａによる青色表示、白色帯電性粒子３Ｗａによる白色表示を行っている。図４（ｂ）では、電界の向き逆にすることにより、左のセルから順に、赤色、黒色、白色、青色表示を行っている。なお、図４（ａ）、（ｂ）に示す例では、手前にある隔壁は省略している。電極は基板の外側に設けても、基板の内部に埋め込むように設けてもよい。ここでは１つのマイクロカプセルが表示単位（１ドット）となる。
【００２０】
図５（ａ）、（ｂ）に、本発明の情報表示用パネルの表示例を示す。情報表示用パネル１０の左上に赤色カラーフィルタ２２Ｒを設ける。また、図１の例と同様に、白色表示媒体と青色表示媒体を封入する。
図５（ａ）に示すように、赤色カラーフィルタ２２Ｒを設けたエリアでは、背景赤色に黒色表示を行い、赤色カラーフィルタ２２Ｒを設けていないエリアでは、背景白色に青色表示を行う。
図５（ｂ）では、電界の向きを逆にすることにより、赤色カラーフィルタ２２Ｒを設けたエリアでは、背景黒色に赤色表示を行い、赤色カラーフィルタ２２Ｒを設けていないエリアでは、背景青色に白色表示を行う。
【００２１】
以上の例では赤色カラーフィルタと、白色表示媒体と、青色表示媒体または青色板とを用いて、黒、赤、青、白の４色表示の説明を行ったが、以下ではその他の色の組み合わせ例について帯電性粒子を含んだ粒子群を表示媒体とした場合を例にして説明する。
表１の各行に、用いるカラーフィルタの色と２色の粒子の色とに対応する表示色を示す。表１の書込とは、正帯電粒子が表示面側基板に移動するように電位をかけたときの状態を示し、消去とは、負帯電粒子が表示面側基板に移動するように電位をかけたときの状態を示す。
例えば、表１の一番上の行において、赤色カラーフィルタと緑色粒子と白色粒子を用いると、赤色カラーフィルタを設けたエリアは黒または赤の表示となり、赤色カラーフィルタを設けていないエリアは緑または白の表示となる。
なお、カラーフィルタと粒子の色として、赤色、緑色、青色、シアン色、マゼンタ色、黄色を例示しているが、本発明はこれに限定されることはない。
【００２２】
【表１】
2009103886.tif 000003
【００２３】
次に、表２に設計したカラーフィルタの平均透過率を、表３に設計したカラー粒子の平均光学反射率を示す。
【００２４】
【表２】
2009103886.tif 000004
【００２５】
【表３】
2009103886.tif 000005
【００２６】
以下、本発明の情報表示用パネルを構成する各部材について説明する。
【００２７】
基板については、少なくとも一方の基板（表示面側基板）は情報表示用パネル外側から表示媒体の発現する色が確認できる透明な基板であり、可視光の透過率が高くかつ耐熱性の良い材料が好適である。背面側基板は透明でも不透明でもかまわない。基板材料を例示すると、ポリエチレンテレフタレート（ＰＥＴ）、ポリエチレンナフタレート（ＰＥＮ）、ポリエーテルサルフォン（ＰＥＳ）、ポリエチレン（ＰＥ）、ポリカーボネート（ＰＣ）、ポリイミド（ＰＩ）、アクリル等のプラスチック系基板やガラス基板を用いる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２８】
情報表示用パネルに設ける電極の形成材料としては、アルミニウム、銀、ニッケル、銅、金等の金属類や酸化インジウム錫（ＩＴＯ）、亜鉛ドープ酸化インジウム（ＩＺＯ）、アルミニウムドープ酸化亜鉛（ＡＺＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され適宜選択して用いられる。電極の形成方法としては、上記例示の材料をスパッタリング法、真空蒸着法、ＣＶＤ（化学蒸着）法、塗布法等で薄膜状に形成する方法や、金属箔をラミネートする方法（例えば、圧延銅箔）や、導電剤を溶媒や合成樹脂バインダーに混合して塗布したりする方法が用いられる。視認側であり透明である必要のある表示面側基板２に設ける電極は透明である必要があるが、背面側基板１に設ける電極は透明である必要はない。いずれの場合もパターン形成可能で導電性である上記材料を好適に用いることができる。なお、電極の厚みは、導電性が確保でき光透過性に支障がなければ良く、０．０１〜１０μｍ、好ましくは０．０５〜５μｍが好適である。背面側基板１に設ける電極の材質や厚みなどは上述した表示面側基板に設ける電極や導電部材と同様であるが、透明である必要はない。なお、この場合の外部電圧入力は、直流あるいは交流を重畳しても良い。
【００２９】
情報表示用パネルの基板間の空間にセルを形成するために隔壁を用いる場合、隔壁の高さや幅は表示にかかわる表示媒体の種類により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。表示側基板と背面側基板とを重ね合わせて得られる情報表示用パネルにおけるセルは図６に示すごとく、基板平面方向からみて四角状、三角状、ライン状、円形状、六角状等の多角形が例示されるが、円形、楕円形、レーストラック形などいずれでもよいし、異なる形状を組み合わせてもよい。このうち、このうち表示媒体が移動しやすいものとして角丸付きの多角形（特には角丸付き四角形）、円形、楕円形、レーストラック形が好ましい。配置としては格子状やハニカム状や網目状が例示される。隔壁形状によって様々な形状のものが用いられる。このうち、角丸付き四角形のセルを格子状に配置する構成が好ましく、表示面側から見える隔壁断面部分に相当する部分（隔壁の幅によって形成されるセルの枠部の面積）はできるだけ小さくした方が良く、表示状態の鮮明さが増す。
ここで、隔壁の形成方法を例示すると、金型転写法、スクリーン印刷法、サンドブラスト法、フォトリソ法、アディティブ法が挙げられる。いずれの方法も好適に用いることができるが、これらのうち、レジストフィルムを用いるフォトリソ法や金型転写法が好適に用いられる。
【００３０】
次に、表示媒体を、帯電性粒子を含んだ粒子群で構成した場合の帯電性粒子（以下、粒子ともいう）について説明する。帯電性粒子は、そのまま該帯電性粒子だけで構成して表示媒体としたり、その他の粒子と合わせて構成して表示媒体としたりして用いられる。
帯電性粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００３１】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３２】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３３】
着色剤としては、以下に例示するような、有機または無機の各種、各色の顔料、染料が使用可能である。
【００３４】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３５】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３６】
体質顔料としては、バライト粉、炭酸バリウム、クレー、シリカ、ホワイトカーボン、
タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３７】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
上記着色剤を配合して所望の色の帯電性粒子を作製できる。
【００３８】
また、本発明の帯電性粒子は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００３９】
更に本発明の帯電性粒子では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、表示媒体としての均一な移動が可能となる。
【００４０】
さらにまた、使用した帯電性粒子の内、最大径を有する粒子のd(0.5)に対する最小径を有する粒子のd(0.5)の比を１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００４１】
なお、上記帯電性粒子の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.)測定機を用いて、窒素気流中に粒子を投入し、付属の解析ソフト（Ｍｉｅ理論を用いた体積基準分布を基本としたソフト）にて、粒子径および粒子径分布の測定を行うことができる。
【００４２】
帯電性粒子の帯電量は当然その測定条件に依存するが、情報表示用パネルにおける帯電性粒子の帯電量はほぼ、初期帯電量、隔壁との接触、基板との接触、経過時間に伴う電荷減衰に依存し、特に帯電性粒子の帯電挙動の飽和値が支配因子となっているということが分かった。
【００４３】
本発明者らは鋭意検討の結果、ブローオフ法において同一のキャリア粒子を用いて、帯電性粒子の帯電量測定を行うことにより、帯電性粒子の適正な帯電特性値の範囲を評価できることを見出した。
【００４４】
更に、本発明の情報表示用パネルを、気体中空間で帯電性粒子を含んだ粒子群を表示媒体として駆動する乾式の情報表示用パネルとする場合、表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、例えば、図１（ａ）において、対向する基板１、基板２に挟まれる部分から、電極５、６（電極を基板内側に設けた場合）、表示媒体３の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体を構成する粒子の充填、情報表示用パネルの組み立てなどを所定湿度環境下にて行い、さらに、外からの湿度侵入を防ぐシール剤、シール方法を施すことが肝要である。
【００４５】
本発明の情報表示用パネルのうち、帯電性粒子を含んだ粒子群移動方式の情報表示用パネルにおける基板と基板との間隔は、表示媒体（粒子群）が移動できて、コントラストを維持できればよいが、通常１０〜１００μｍ、好ましくは１０〜５０μｍに調整される。
対向する基板間の気体中空間における帯電性粒子を含んだ粒子群の体積占有率は５〜７０％が好ましく、さらに好ましくは５〜６０％である。７０％を超える場合には表示媒体の移動に支障をきたし、５％未満の場合にはコントラストが不明確となり易い。
【産業上の利用可能性】
【００４６】
本発明の情報表示用パネルは、ノートパソコン、電子手帳、ＰＤＡ（Personal Digital Assistants）と呼ばれる携帯型情報機器、携帯電話、ハンディーターミナル等のモバイル機器の表示部、電子書籍、電子新聞、電子マニュアル（取扱説明書）等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ（Point Of Presence、Point Of Purchase advertising）、電子値札、電子棚札、電子楽譜、ＲＦ−ＩＤ機器の表示部のほか、ＰＯＳ端末、カーナビゲーション装置、時計など様々な電子機器の表示部に好適に用いられる他、書き換え装置に装着して表示書き換えを行うリライタブルペーパーとしても好適に用いられる。
【００４７】
なお、本発明の情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式など、種々のタイプの駆動方式を適用することができる。
【図面の簡単な説明】
【００４８】
【図１】（ａ）、（ｂ）はそれぞれ本発明の情報表示用パネルの一例を示す図である。
【図２】（ａ）、（ｂ）はそれぞれ本発明の情報表示用パネルの他の例を示す図である。
【図３】（ａ）、（ｂ）はそれぞれ本発明の情報表示用パネルの他の例を示す図である。
【図４】（ａ）、（ｂ）はそれぞれ本発明の情報表示用パネルの他の例を示す図である。
【図５】（ａ）、（ｂ）はそれぞれ本発明の情報表示用パネルの表示例を示す図である。
【図６】本発明の情報表示用パネルにおける隔壁の形状の一例を示す図である。
【符号の説明】
【００４９】
１              背面側基板
２              表示面側透明基板
３              表示媒体
３Ｗ            白色表示媒体
３ＢＬ          青色表示媒体
３Ｗａ          白色帯電性粒子
３ＢＬａ        青色帯電性粒子
４              隔壁
５、６          電極
７ＢＬ          青色板
８              絶縁性液体
９              マイクロカプセル
１０            情報表示用パネル
２２Ｒ          赤色カラーフィルタ
２２Ｇ          緑色カラーフィルタ
２２ＢＬ        青色カラーフィルタ
【図１】
2009103886.tif 000006
【図２】
2009103886.tif 000007
【図３】
2009103886.tif 000008
【図４】
2009103886.tif 000009
【図５】
2009103886.tif 000010
【図６】
2009103886.tif 000011